(57)【要約】【課題】本願は加工品に対するレーザ切断と校正に応用される方法を開示した。【解決手段】本願は加工品に対するレーザ切断と校正に応用される方法を開示し、その校正装置は校正台を含み、前記校正台の中には上方に開口した回転空間が設置され、前記回転空間の底端内壁には前後校正装置が回転可能に連結され、本願発明は同じ高度面に校正構造を設置することで、高度における全体性を保証し、また、ボールベアリングに類似する固定挟持構造で、挟持の安定性を保つと同時に、後続の取り外しや取り付けに便利であり、さらに、同軸での正逆回転による異なる移動能力を有する構造は、作業手順を合理化させる同時に、加工品が左右方向において精確に移動できるようにする。【選択図】図１
2020199549.tif 000002
【特許請求の範囲】
【請求項１】
校正装置は校正台を含み、
前記校正台の中には上方に開口した回転空間が設置され、前記回転空間の底端内壁には前後校正装置が回転可能に連結され、前記前後校正装置は前記校正台の上側端面に設置され、且つ前記回転空間を関して中心対称の軌道と、前記軌道とスライド可能に連結されたスライド棒とによって、前後方向での水平スライドを可能にし、前記スライド棒において対称中心から離れた端には連結板が固定的に連結され、
前記連結板には太スクリューが回転可能に連結され、前記太スクリューには左右校正装置がネジ山で連結され、前記左右校正装置は前記太スクリューとネジ山で連結された弓形板によって、大範囲での移動を粗調整でき、前記太スクリューには微調整装置が回転可能に連結され、前記微調整装置は前記左右校正装置において対称中心に近接した側に位置し、前記微調整装置は前記太スクリューと回転可能に連結された細スクリューを含み、前記細スクリューは前記左右校正装置と前記太スクリューとの連結方法を変えられ、
前記スクリューにおいて対称中心から離れた端の末端にはハンドルが設置され、前記左右校正装置において反時計回り側の端面には挟持具が二つ等間隔に配置され、前記挟持具は加工品を固定でき、前記挟持具の中には固定解除装置が設置され、前記固定解除装置は前記挟持具を制御でき、
使用時に、前記固定解除装置が移動して前記挟持具を放し、加工品を前記挟持具に固定する時に、前記固定解除装置を放して固定を行い、足で前記前後校正装置を回し、前記スライド棒において前記軌道の中にあるスライド部品を通じて前後を校正し、そして前記ハンドルを回し、太スクリューを通じて前記左右校正装置に粗調整を行わせ、前記左右校正装置が前記細スクリューと連結になるまで移動した時に、ハンドルを逆方向へ回すことで、前記微調整装置に前記左右校正装置を小範囲で移動させ、切断前の校正作業を完了とすることを特徴とする加工品に対するレーザ切断と校正に応用される方法。
【請求項２】
前記校正台の底端内壁には支持脚が四つ固定的に連結されていることを特徴とする請求項１に記載の加工品に対するレーザ切断と校正に応用される方法。
【請求項３】
前記前後校正装置は前記回転空間の底端内壁と回転可能に連結された伝動軸を含み、前記伝動軸には菱形回転輪が設置され、前記菱形回転輪には中心対称のチェーンロッドがヒンジで連結され、前記チェーンロッドの他端は前記スライド棒において対称中心に近接した端とヒンジで連結され、前記回転空間の底端外側には指示桶が固定的に連結され、前記伝動軸には前記指示桶の下端の中に位置するノブが設置され、
使用時に、足で前記ノブを回し、順次に前記伝動軸と、前記菱形回転輪と、前記チェーンロッドとによって前記スライド棒を引いて移動させ、前記スライド棒は前記軌道に制限されているため、安定的に移動することを特徴とする請求項１に記載の加工品に対するレーザ切断と校正に応用される方法。
【請求項４】
前記左右校正装置は前記太スクリューに設置された調整ブロックを含み、前記調整ブロックの中には伝動空間が左右に連通するように設置され、前記伝動空間の中には中心対称の四つの折畳溝が連通するように形成され、前記折畳溝の中には等間隔に配置され、且つ弾性回復できるヒンジ連結棒が回転可能に連結され、前記ヒンジ連結棒において対称中心に近接した端は前記弓形板とヒンジで連結され、前記弓形板が完全なる円環を形成し、前記伝動空間の中にはネジ山スリーブが嵌め込まれ、前記ネジ山スリーブは前記折畳溝において対称中心から離れた側に位置し、前記ネジ山スリーブは前記細スクリューの外側とネジ山で連結されることができ、
使用時に、前記弓形板によって形成された円環と前記太スクリューとのネジ山による伝動で、前記調整ブロックを駆動して対称中心側へ移動させ、大範囲で調整を行わせ、又は前記ネジ山スリーブと前記細スクリューとのネジ山による伝動で、前記調整ブロックを駆動して小範囲で調整を行わせることを特徴とする請求項１に記載の加工品に対するレーザ切断と校正に応用される方法。
【請求項５】
前記弓形板にあるネジ山は前記ネジ山スリーブにあるネジ山より分布密度が小さいことを特徴とする請求項４に記載の加工品に対するレーザ切断と校正に応用される方法。
【請求項６】
前記微調整装置は前記細スクリューの中に設置され、且つ対称中心へ開口した制御空間を含み、前記制御空間の中には支持棒が六本環状になるように配置され、前記支持棒にはボールがスライド可能に連結され、前記太スクリューには前記制御空間の中に位置するスライド溝が六つ環状になるように配置され、前記スライド溝と前記支持棒とは位置が互いにずれており、前記スライド溝の中には当接ブロックがスライド可能に連結され、前記当接ブロックにおいて反時計回り側の端面には弓形凹面が設置され、前記弓形凹面は前記ボールとスライド可能に連結されることができ、前記当接ブロックと前記スライド溝との間には圧縮ばねが連結され、
使用時に、前記太スクリューが反時計回りに回転する時に、前記ボールと前記弓形凹面との当接によって、前記当接ブロックは押されて前記スライド溝の内側へスライドし、そして前記細スクリューを静止状態にさせ、前記太スクリューが時計回りに回転する時に、前記当接ブロックは直接に前記支持棒と当接するため、前記細スクリューは押されて同期に回転することを特徴とする請求項４に記載の加工品に対するレーザ切断と校正に応用される方法。
【請求項７】
前記挟持具は前記伝動空間の反時計回り側と固定的に連結された軌道リングを含み、前記軌道リングの中にはスライド空間が設置され、前記スライド空間の中には内円板がスライド可能に連結され、前記内円板の円周逆方向には前記スライド空間とスライド可能に連結された鋼球が環状になるように配置され、前記内円板の反時計回り側には前記スライド空間とスライド可能に連結された引掛り棒が設置され、前記引掛り棒の中にはスライド道が左右に連通するように設置され、前記スライド道は前記鋼球とスライド可能に連結されることができ、
使用時に、前記鋼球が前記スライド道の中にある時に、前記引掛り棒のスライドは制限され、それにより、加工品を固定でき、前記スライド道の中に前記鋼球がない時に、前記鋼球をスライドさせて前記スライド道において時計回り側の内壁に近接させ、前記引掛り棒と前記内円板とを引き動かし、加工品に対する挟持を解除することを特徴とする請求項４に記載の加工品に対するレーザ切断と校正に応用される方法。
【請求項８】
前記固定解除装置は前記スライド空間の底端内壁と連通するように連結された固定解除溝を含み、前記固定解除溝は前記鋼球とスライド可能に連結されることができ、前記固定解除溝の中には斜面隔離門がスライド可能に連結され、前記斜面隔離門は前記スライド空間の底端内壁を完全なる平面として補うことができ、前記固定解除溝において対称中心から離れた端の内壁には接続ブロックがスライド可能に連結され、前記接続ブロックは前記斜面隔離門と当接し、前記接続ブロックには前記固定解除溝の外側に位置する牽引棒が設置され、前記牽引棒と前記固定解除溝の外側端面との間には牽引ばねが連結され、
使用時に、前記牽引棒を握って前記接続ブロックを引き動かし、前記斜面隔離門を下方へ移動させ、前記固定解除溝の上端にある前記鋼球は前記固定解除溝の中に落下し、前記スライド空間の中における前記鋼球によって形成された円環に欠陥部を形成させ、加工品に対する取り付けと挟持に便利を与えることを特徴とする請求項７に記載の加工品に対するレーザ切断と校正に応用される方法。
【発明の詳細な説明】
【技術分野】
【０００１】
本願発明はレーザ切断と校正技術分野を取り上げ、特に加工品に対するレーザ切断と校正に応用される方法である。
【背景技術】
【０００２】
レーザ切断は、集光したレーザを試料に直接照射して溶融させ、照射された試料を素早く溶融、気化、アブレーション又は燃焼点に到達させる、溶融金属をレーザと同軸で流れるアシストガスで吹き飛ばすことによって切断する加工法である。レーザ切断は切断が速いため、切断する前に加工品の切断部に厳密な校正を行う必要がある。伝統的な校正は旋盤に類似する構造で三方向において調整を可能にし、しかし、当該作業において多数の作業員を要り、作業員が増える分、主観的な判断による妨害も増え、加工ミスを引き起こすリスクも大きくなる。本願発明は上記の問題を解決できる装置である。
【先行技術文献】
【特許文献】
【０００３】
【特許文献１】中国特許出願公開第１０９０４８０８６号明細書
【発明の概要】
【発明が解決しようとする課題】
【０００４】
本願発明は現在のレーザ切断が、複数の作業員の校正補助を要り、作業員の主観的判断に制限され、加工ミスを引き起こすなどの問題を解決することを目的とする。
【課題を解決するための手段】
【０００５】
上記の問題を解決するため、本願は加工品に対するレーザ切断と校正に応用される方法を提供し、その校正装置は校正台を含み、前記校正台の中には上方に開口した回転空間が設置され、前記回転空間の底端内壁には前後校正装置が回転可能に連結され、前記前後校正装置は前記校正台の上側端面に設置され、且つ前記回転空間を関して中心対称の軌道と、前記軌道とスライド可能に連結されたスライド棒とによって、前後方向での水平スライドを可能にし、前記スライド棒において対称中心から離れた端には連結板が固定的に連結され、前記連結板には太スクリューが回転可能に連結され、前記太スクリューには左右校正装置がネジ山で連結され、前記左右校正装置は前記太スクリューとネジ山で連結された弓形板によって、大範囲での移動を粗調整でき、前記太スクリューには微調整装置が回転可能に連結され、前記微調整装置は前記左右校正装置において対称中心に近接した側に位置し、前記微調整装置は前記太スクリューと回転可能に連結された細スクリューを含み、前記細スクリューは前記左右校正装置と前記太スクリューとの連結方法を変えられ、前記スクリューにおいて対称中心から離れた端の末端にはハンドルが設置され、前記左右校正装置において反時計回り側の端面には挟持具が二つ等間隔に配置され、前記挟持具は加工品を固定でき、前記挟持具の中には固定解除装置が設置され、前記固定解除装置は前記挟持具を制御できる。
【０００６】
さらなる技術的解決策として、前記校正台の底端内壁には支持脚が四つ固定的に連結されている。
【０００７】
さらなる技術的解決策として、前記前後校正装置は前記回転空間の底端内壁と回転可能に連結された伝動軸を含み、前記伝動軸には菱形回転輪が設置され、前記菱形回転輪には中心対称のチェーンロッドがヒンジで連結され、前記チェーンロッドの他端は前記スライド棒において対称中心に近接した端とヒンジで連結され、前記回転空間の底端外側には指示桶が固定的に連結され、前記伝動軸には前記指示桶の下端の中に位置するノブが設置されている。
【０００８】
さらなる技術的解決策として、前記左右校正装置は前記太スクリューに設置された調整ブロックを含み、前記調整ブロックの中には伝動空間が左右に連通するように設置され、前記伝動空間の中には中心対称の四つの折畳溝が連通するように形成され、前記折畳溝の中には等間隔に配置され、且つ弾性回復できるヒンジ連結棒が回転可能に連結され、前記ヒンジ連結棒において対称中心に近接した端は前記弓形板とヒンジで連結され、前記弓形板が完全なる円環を形成し、前記伝動空間の中にはネジ山スリーブが嵌め込まれ、前記ネジ山スリーブは前記折畳溝において対称中心から離れた側に位置し、前記ネジ山スリーブは前記細スクリューの外側とネジ山で連結されることができる。
【０００９】
さらなる技術的解決策として、前記弓形板にあるネジ山は前記ネジ山スリーブにあるネジ山より分布密度が小さい。
【００１０】
さらなる技術的解決策として、前記微調整装置は前記細スクリューの中に設置され、且つ対称中心へ開口した制御空間を含み、前記制御空間の中には支持棒が六本環状になるように配置され、前記支持棒にはボールがスライド可能に連結され、前記太スクリューには前記制御空間の中に位置するスライド溝が六つ環状になるように配置され、前記スライド溝と前記支持棒とは位置が互いにずれており、前記スライド溝の中には当接ブロックがスライド可能に連結され、前記当接ブロックにおいて反時計回り側の端面には弓形凹面が設置され、前記弓形凹面は前記ボールとスライド可能に連結されることができ、前記当接ブロックと前記スライド溝との間には圧縮ばねが連結されている。
【００１１】
さらなる技術的解決策として、前記挟持具は前記伝動空間の反時計回り側と固定的に連結された軌道リングを含み、前記軌道リングの中にはスライド空間が設置され、前記スライド空間の中には内円板がスライド可能に連結され、前記内円板の円周逆方向には前記スライド空間とスライド可能に連結された鋼球が環状になるように配置され、前記内円板の反時計回り側には前記スライド空間とスライド可能に連結された引掛り棒が設置され、前記引掛り棒の中にはスライド道が左右に連通するように設置され、前記スライド道は前記鋼球とスライド可能に連結されることができる。
【００１２】
さらなる技術的解決策として、前記固定解除装置は前記スライド空間の底端内壁と連通するように連結された固定解除溝を含み、前記固定解除溝は前記鋼球とスライド可能に連結されることができ、前記固定解除溝の中には斜面隔離門がスライド可能に連結され、前記斜面隔離門は前記スライド空間の底端内壁を完全なる平面として補うことができ、前記固定解除溝において対称中心から離れた端の内壁には接続ブロックがスライド可能に連結され、前記接続ブロックは前記斜面隔離門と当接し、前記接続ブロックには前記固定解除溝の外側に位置する牽引棒が設置され、前記牽引棒と前記固定解除溝の外側端面との間には牽引ばねが連結されている。
【発明の効果】
【００１３】
本願発明は以下のプラス効果を有する：本願発明は同じ高度面に校正構造を設置することで、高度における全体性を保証し、また、ボールベアリングに類似する固定挟持構造で、挟持の安定性を保つと同時に、後続の取り外しや取り付けに便利であり、さらに、同軸での正逆回転による異なる移動能力を有する構造は、作業手順を合理化させる同時に、加工品が左右方向において精確に移動できるようにし、他にも、足で回転輪を回すという構造で、加工品が前後方向においても調整可能になり、設備全体は一人で操作でき、人数に対する制限を克服し、また、複数の作業員の主観的判断による加工ミスを減らせる。
【図面の簡単な説明】
【００１４】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の加工品に対するレーザ切断と校正に応用される方法を用いる装置の内部構成略図
【図２】図２は図１におけるＡ―Ａ方向からの構成略図
【図３】図３は図２におけるＢの構成拡大略図
【図４】図４は図３におけるＣ―Ｃ方向からの構成略図
【図５】図５は図３における軌道リングの内部構成略図
【図６】図６は図５におけるＤ―Ｄ方向からの構成略図
【図７】図７は図５におけるＥ―Ｅ方向からの構成略図
【発明を実施するための形態】
【００１６】
本願発明は加工品に対するレーザ切断と校正に応用される方法を取り上げ、主にレーザ切断前に加工品に対する校正に応用され、以下に本願発明の図面を合わせてさらなる説明を行う。
【００１７】
本願発明による加工品に対するレーザ切断と校正に応用される方法、その校正装置は校正台１１を含み、前記校正台１１の中には上方に開口した回転空間１３が設置され、前記回転空間１３の底端内壁には前後校正装置９０１が回転可能に連結され、前記前後校正装置９０１は前記校正台１１の上側端面に設置され、且つ前記回転空間１３を関して中心対称の軌道１９と、前記軌道１９とスライド可能に連結されたスライド棒１８とによって、前後方向での水平スライドを可能にし、前記スライド棒１８において対称中心から離れた端には連結板２１が固定的に連結され、前記連結板２１には太スクリュー２２が回転可能に連結され、前記太スクリュー２２には左右校正装置９０２がネジ山で連結され、前記左右校正装置９０２は前記太スクリュー２２とネジ山で連結された弓形板２８によって、大範囲での移動を粗調整でき、前記太スクリュー２２には微調整装置９０３が回転可能に連結され、前記微調整装置９０３は前記左右校正装置９０２において対称中心に近接した側に位置し、前記微調整装置９０３は前記太スクリュー２２と回転可能に連結された細スクリュー３０を含み、前記細スクリュー３０は前記左右校正装置９０２と前記太スクリュー２２との連結方法を変えられ、前記スクリュー２２において対称中心から離れた端の末端にはハンドル２３が設置され、前記左右校正装置９０２において反時計回り側の端面には挟持具９０４が二つ等間隔に配置され、前記挟持具９０４は加工品を固定でき、前記挟持具９０４の中には固定解除装置９０５が設置され、前記固定解除装置９０５は前記挟持具９０４を制御でき、
使用方法は：前記固定解除装置９０５が移動して前記挟持具９０４を放し、加工品を前記挟持具９０４に固定する時に、前記固定解除装置９０５を放して固定を行い、足で前記前後校正装置９０１を回し、前記スライド棒１８において前記軌道１９の中にあるスライド部品を通じて前後を校正し、そして前記ハンドル２３を回し、太スクリュー２２を通じて前記左右校正装置９０２に粗調整を行わせ、前記左右校正装置９０２が前記細スクリュー３０と連結になるまで移動した時に、ハンドル２３を逆方向へ回すことで、前記微調整装置９０３に前記左右校正装置９０２を小範囲で移動させ、切断前の校正作業を完了とする。
【００１８】
好ましくは、前記校正台１１の底端内壁には支持脚１２が四つ固定的に連結され、それにより、前記校正台１１の平面を水平状態にさせる。
【００１９】
好ましくは、前記前後校正装置９０１は前記回転空間１３の底端内壁と回転可能に連結された伝動軸１５を含み、前記伝動軸１５には菱形回転輪１７が設置され、前記菱形回転輪１７には中心対称のチェーンロッド２０がヒンジで連結され、前記チェーンロッド２０の他端は前記スライド棒１８において対称中心に近接した端とヒンジで連結され、前記回転空間１３の底端外側には指示桶１６が固定的に連結され、前記伝動軸１５には前記指示桶１６の下端の中に位置するノブ１４が設置され、前記ノブ１４と前記指示桶１６との数値差で、加工品移動の精確さを保証し、
使用時に、足で前記ノブ１４を回し、順次に前記伝動軸１５と、前記菱形回転輪１７と、前記チェーンロッド２０とによって前記スライド棒１８を引いて移動させ、前記スライド棒１８は前記軌道１９に制限されているため、安定的に移動する。  
【００２０】
好ましくは、前記左右校正装置９０２は前記太スクリュー２２に設置された調整ブロック２５を含み、前記調整ブロック２５の中には伝動空間２６が左右に連通するように設置され、前記伝動空間２６の中には中心対称の四つの折畳溝２７が連通するように形成され、前記折畳溝２７の中には等間隔に配置され、且つ弾性回復できるヒンジ連結棒２９が回転可能に連結され、前記ヒンジ連結棒２９において対称中心に近接した端は前記弓形板２８とヒンジで連結され、前記弓形板２８が完全なる円環を形成し、前記伝動空間２６の中にはネジ山スリーブ２４が嵌め込まれ、前記ネジ山スリーブ２４は前記折畳溝２７において対称中心から離れた側に位置し、前記ネジ山スリーブ２４は前記細スクリュー３０の外側とネジ山で連結されることができ、
使用時に、前記弓形板２８によって形成された円環と前記太スクリュー２２とのネジ山による伝動で、前記調整ブロック２５を駆動して対称中心側へ移動させ、大範囲で調整を行わせ、又は前記ネジ山スリーブ２４と前記細スクリュー３０とのネジ山による伝動で、前記調整ブロック２５を駆動して小範囲で調整を行わせる。
【００２１】
好ましくは、前記弓形板２８にあるネジ山は前記ネジ山スリーブ２４にあるネジ山より分布密度が小さく、それにより、前記弓形板２８が一周を完全に回す時に、前記ネジ山スリーブ２４と連結になる状態にある時の前記調整ブロック２５は、前記弓形板２８と連結になる状態にある時より、移動距離が短くて精確である。
【００２２】
好ましくは、前記微調整装置９０３は前記細スクリュー３０の中に設置され、且つ対称中心へ開口した制御空間３１を含み、前記制御空間３１の中には支持棒３５が六本環状になるように配置され、前記支持棒３５にはボール３７がスライド可能に連結され、前記太スクリュー２２には前記制御空間３１の中に位置するスライド溝３８が六つ環状になるように配置され、前記スライド溝３８と前記支持棒３５とは位置が互いにずれており、前記スライド溝３８の中には当接ブロック３４がスライド可能に連結され、前記当接ブロック３４において反時計回り側の端面には弓形凹面３２が設置され、前記弓形凹面３２は前記ボール３７とスライド可能に連結されることができ、
使用時に、前記太スクリュー２２が反時計回りに回転する時に、前記ボール３７と前記弓形凹面３２との当接によって、前記当接ブロック３４は押されて前記スライド溝３８の内側へスライドし、そして前記細スクリュー３０を静止状態にさせ、前記太スクリュー２２が時計回りに回転する時に、前記当接ブロック３４は直接に前記支持棒３５と当接するため、前記細スクリュー３０は押されて同期に回転する。
【００２３】
好ましくは、前記挟持具９０４は前記伝動空間２６の反時計回り側と固定的に連結された軌道リング３９を含み、前記軌道リング３９の中にはスライド空間４１が設置され、前記スライド空間４１の中には内円板４２がスライド可能に連結され、前記内円板４２の円周逆方向には前記スライド空間４１とスライド可能に連結された鋼球４０が環状になるように配置され、前記内円板４２の反時計回り側には前記スライド空間４１とスライド可能に連結された引掛り棒４４が設置され、前記引掛り棒４４の中にはスライド道４３が左右に連通するように設置され、前記スライド道４３は前記鋼球４０とスライド可能に連結されることができ、
使用時に、前記鋼球４０が前記スライド道４３の中にある時に、前記引掛り棒４４のスライドは制限され、それにより、加工品を固定でき、前記スライド道４３の中に前記鋼球４０がない時に、前記鋼球４０をスライドさせて前記スライド道４１において時計回り側の内壁に近接させ、前記引掛り棒４４と前記内円板４２とを引き動かし、加工品に対する挟持を解除する。
【００２４】
好ましくは、前記固定解除装置９０５は前記スライド空間４１の底端内壁と連通するように連結された固定解除溝４６を含み、前記固定解除溝４６は前記鋼球４０とスライド可能に連結されることができ、前記固定解除溝４６の中には斜面隔離門４５がスライド可能に連結され、前記斜面隔離門４５は前記スライド空間４１の底端内壁を完全なる平面として補うことができ、前記固定解除溝４６において対称中心から離れた端の内壁には接続ブロック４９がスライド可能に連結され、前記接続ブロック４９は前記斜面隔離門４５と当接し、前記接続ブロック４９には前記固定解除溝４６の外側に位置する牽引棒４７が設置され、前記牽引棒４７と前記固定解除溝４６の外側端面との間には牽引ばね４８が連結され、
使用時に、前記牽引棒４７を握って前記接続ブロック４９を引き動かし、前記斜面隔離門４５を下方へ移動させ、前記固定解除溝４６の上端にある前記鋼球４０は前記固定解除溝４６の中に落下し、前記スライド空間４１の中における前記鋼球４０によって形成された円環に欠陥部を形成させ、加工品に対する取り付けと挟持に便利を与える。
【００２５】
本願発明の装置は以下のように作動する。
【００２６】
加工品を固定する時に、まず牽引棒４７を握って接続ブロック４９を引き動かし、斜面隔離門４５を下方へ移動させ、固定解除溝４６の上端にある鋼球４０は固定解除溝４６の中に落下し、スライド空間４１の中における鋼球４０によって形成された円環に欠陥部を形成させ、スライド道４３の中にある鋼球４０は滑り出し、且つ残りの鋼球４０をスライド空間４１の時計回り側へ押し、鋼球４０の内円板４２に対する制限を解除し、反時計回り側へ引掛り棒４４を引き動かし、引掛り棒４４と軌道リング３９との距離を拡大し、そして加工品を両者の間に置いて時計回りに押し、且つ引掛り棒４７を放し、接続ブロック４９は牽引ばね４８の弾性回復によって斜面隔離門４５を押して上方へ移動させ、固定解除溝４６の中に入った鋼球４０をスライド空間４１の中に戻し、且つ八つのスライド空間４１を押して密封リングを形成させ、その中の一つのスライド空間４１はスライド道４３の中に位置し、引掛り棒４４のスライドを制限して加工品を固定する。
【００２７】
校正する時に、足でノブ１４を回し、順次に伝動軸１５と、菱形回転輪１７と、チェーンロッド２０とによってスライド棒１８を引いて移動させ、スライド棒１８は軌道１９に制限されているため、安定的に対称中心側へスライドし、これにより、加工品の前後方向を校正でき、ハンドル２３を回し、連結板２１と弓形板２８とのネジ山による伝動で、連結板２１と固定的に連結された調整ブロック２５がヒンジ連結棒２９と細スクリュー３０とを当接させるまで、調整ブロック２５を対称中心側へ大幅の移動調整を行わせ、これにより、調整ブロック２５は折畳溝２７の中へ回転し、且つ太スクリュー２２とのネジ山による伝動から離脱し、この時、ネジ山スリーブ２４は細スクリュー３０とネジ山で連結され、太スクリュー２２を逆方向へ回転させ、動力は順次に当接ブロック３４と支持棒３５とを通過して細スクリュー３０を連動させて同期に回転させ、細スクリュー３０は次にネジ山スリーブ２４とのネジ山による伝動で、調整ブロック２５を小範囲で移動させ、加工品の左右方向における粗調整と微調整を可能にする。
【００２８】
本願発明は以下のプラス効果を有する：本願発明は同じ高度面に校正構造を設置することで、高度における全体性を保証し、また、ボールベアリングに類似する固定挟持構造で、挟持の安定性を保つと同時に、後続の取り外しや取り付けに便利であり、さらに、同軸での正逆回転による異なる移動能力を有する構造は、作業手順を合理化させる同時に、加工品が左右方向において精確に移動できるようにし、他にも、足で回転輪を回すという構造で、加工品が前後方向においても調整可能になり、設備全体は一人で操作でき、人数に対する制限を克服し、また、複数の作業員の主観的判断による加工ミスを減らせる。
【００２９】
以上の方式に基づき、当該分野の従業者は本願発明の範囲内で作業状況に応じて様々な変化を加えることができる。
【図１】
2020199549.tif 000003
【図２】
2020199549.tif 000004
【図３】
2020199549.tif 000005
【図４】
2020199549.tif 000006
【図５】
2020199549.tif 000007
【図６】
2020199549.tif 000008
【図７】
2020199549.tif 000009